(57)【要約】【課題】最終退場者が退場するまでは確実にアプリケーションを実行中の状態にしておくことができ、セキュリティーを確保することができる入退場管理システム、入退場管理端末を提供する。【解決手段】ＰＣ端末２００において入退場管理アプリケーションを起動させ実行している状態で、オフィスへの入場者が所定の入場時操作を行うと、リーダ１００により社員証カードＴからタグＩＤが読み取られ、これに対応してオフィス内の残存者の人数が更新される。このようにして一旦入場した人物が、オフィスから退場するとき、その退場者が所定の退場時操作を行うと、リーダ１００により社員証カードＴからタグＩＤが読み取られ、これに対応してオフィス内の残存者の人数が更新される。このようにして、ある退場者が退場するときにオフィスの残存者人数が０となったら、アプリケーションを終了処理する。【選択図】図３
2010128753.tif 000002
【特許請求の範囲】
【請求項１】
所定の入退場管理アプリケーションを実行することにより、管理対象区画における入場者及び退場者の入退場管理を行う管理手段と、
前記管理対象区画に前記入場者が入場するときの所定の入場時操作を検出する入場操作検出手段と、
前記管理対象区画より前記退場者が退場するときの所定の退場時操作を検出する退場操作検出手段と、
前記入場操作検出手段及び前記退場操作検出手段の検出結果に応じて、前記管理対象区画内に残存する残存者の人数を算出する人数算出手段と、
前記退場操作検出手段で検出した前記退場時操作に伴い、前記人数算出手段で算出される前記残存者の人数が減少して０になった場合、前記管理手段で実行される前記入退場管理アプリケーションを終了処理する終了処理手段と
を有することを特徴とする入退場管理システム。
【請求項２】
請求項１記載の入退場管理システムにおいて、
前記人数算出手段は、
前記入場操作検出手段で前記入場時操作が検出されるごとに、その検出した人数分、前記残存者の人数を増大させ、
前記退場操作検出手段で前記退場時操作が検出されるごとに、その検出した人数分、前記残存者の人数を減少させる
ことを特徴とする入退場管理システム。
【請求項３】
請求項１又は請求項２記載の入退場管理システムにおいて、
前記入場操作検出手段及び前記退場操作検出手段は、
前記入場者又は前記退場者により読み取り操作された非接触読み取り媒体より、非接触で情報を読み取る非接触読み取り手段である
ことを特徴とする入退場管理システム。
【請求項４】
請求項３記載の入退場管理システムにおいて、
前記非接触読み取り手段は、
前記入場者又は前記退場者に付随された、前記非接触読み取り媒体としての無線タグより、無線通信を介して情報取得を行う無線読み取り手段である
ことを特徴とする入退場管理システム。
【請求項５】
請求項４記載の入退場管理システムにおいて、
前記入場者又は前記退場者として予定された人物に係わる人物識別情報と、当該人物に付随される前記無線タグのタグ識別情報とを対応づけて記録するためのタグＩＤ管理データベースを有することを特徴とする入退場管理システム。
【請求項６】
請求項５記載の入退場管理システムにおいて、
前記入場者により前記無線タグが読み取り操作されたとき、前記無線読み取り手段で取得された前記無線タグの前記タグ識別情報が、前記タグＩＤ管理データベースに未記録の新規なタグ識別情報であった場合には、当該タグ識別情報を前記タグＩＤ管理データベースに記録処理するタグＩＤ記録処理手段を有する
ことを特徴とする入退場管理システム。
【請求項７】
請求項５又は請求項６記載の入退場管理システムにおいて、
前記退場者により前記無線タグが読み取り操作されたとき、前記無線読み取り手段で取得された前記無線タグの前記タグ識別情報が、前記タグＩＤ管理データベースに未記録の新規なタグ識別情報であった場合には、所定のエラー処理を行うエラー処理手段を有する
ことを特徴とする入退場管理システム。
【請求項８】
請求項５乃至請求項７のいずれか１項記載の入退場管理システムにおいて、
前記入場者又は前記退場者により前記無線タグが読み取り操作されたとき、前記無線読み取り手段で取得された前記無線タグの前記タグ識別情報をキーとして前記タグＩＤ管理データベースを参照し、対応する前記人物識別情報を取得する人物識別情報取得手段と、
前記人物識別情報取得手段で取得された前記人物識別情報に対応した表示を行う表示手段と
を有することを特徴とする入退場管理システム。
【請求項９】
請求項３記載の入退場管理システムにおいて、
前記非接触読み取り手段は、
前記入場者又は前記退場者に付随された、前記非接触読み取り媒体としてのバーコード記録部より、光学的に情報取得を行う光学読み取り手段である
ことを特徴とする入退場管理システム。
【請求項１０】
請求項１又は請求項２記載の入退場管理システムにおいて、
前記入場操作検出手段及び前記退場操作検出手段は、
操作手段における、前記入場者又は前記退場者による所定のパスワードの入力操作を検出する入力操作検出手段である
ことを特徴とする入退場管理システム。
【請求項１１】
請求項１乃至請求項１０のいずれか１項記載の入退場管理システムにおいて、
前記入場者又は前記退場者として予定された人物に係わる人物識別情報と、当該人物の入退場時刻とを対応づけて記録するための入退場管理データベースと、
前記入場操作検出手段及び前記退場操作検出手段の検出結果に応じて、当該検出時の時刻情報に基づき、前記入退場管理データベースに対し、対応する記録処理を行う時刻記録処理手段と
を有することを特徴とする入退場管理システム。
【請求項１２】
請求項１乃至請求項１１のいずれか１項記載の入退場管理システムにおいて、
前記終了処理手段は、
前記終了処理として、前記管理手段で起動中の前記入退場管理アプリケーションを終了し当該アプリケーションによる表示画面を閉じる
ことを特徴とする入退場管理システム。
【請求項１３】
請求項１乃至請求項１１のいずれか１項記載の入退場管理システムにおいて、
前記終了処理手段は、
前記終了処理として、前記管理手段を備えた管理端末の電源をＯＦＦすることを特徴とする入退場管理システム。
【請求項１４】
所定の入退場管理アプリケーションを実行することにより、管理対象区画における入場者及び退場者の入退場管理を行う入退場管理端末であって、
前記管理対象区画に前記入場者が入場するときの所定の入場時操作を検出する入場操作検出手段と、
前記管理対象区画より前記退場者が退場するときの所定の退場時操作を検出する退場操作検出手段と、
前記入場操作検出手段及び前記退場操作検出手段の検出結果に応じて、前記管理対象区画内に残存する残存者の人数を算出する人数算出手段と、
前記退場操作検出手段で検出した前記退場時操作に伴い、前記人数算出手段で算出される前記残存者の人数が減少して０になった場合、前記実行される前記入退場管理アプリケーションを終了処理する終了処理手段と
を有することを特徴とする入退場管理端末。
【発明の詳細な説明】
【技術分野】
【０００１】
本発明は、所定の管理対象区画における入場者及び退場者の入退場管理を行う入退場管理システム及び入退場管理端末に関する。
【背景技術】
【０００２】
情報を記憶する無線タグに対し非接触（コイルを用いる電磁結合方式、電磁誘導方式、あるいは電波方式等）で情報の送受信を行うＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
このＲＦＩＤシステムの１つとして、所定の管理対象区画（建造物）における人物の管理を行う管理システム（無線タグ管理システム）に適用したものが知られている（例えば、特許文献１参照）。この従来技術の管理システムでは、出入口を含めた各区画にリーダを設けておき、社員、来客等の人物に付随された無線タグをどのリーダで読み取ったかを検出することにより、人物の存在位置を検出する。
【特許文献１】特開２００７−１２２５３５号公報（第１２頁、第９図）
【発明の開示】
【発明が解決しようとする課題】
【０００４】
一般に、人物の管理を行う管理システムとしては、上記従来技術のように人物の存在位置を検出するものの他に、所定の管理対象区画に対する人物の入退場管理を行うものが広く知られている。この入退場管理システムに上述のＲＦＩＤシステムを適用する場合、例えば、ＰＣ（Ｐｅｒｓｏｎａｌ  Ｃｏｍｐｕｔｅｒ）等の端末において所定の入退場管理アプリケーションを実行させ、そのＰＣに接続されたリーダで人物に付随された無線タグを読み取り、その読み取り結果に応じて打刻等の入退場管理に関わる所定の処理を行うことが考えられる。
【０００５】
この場合、例えば最初の入場者がＰＣにおいて上記アプリケーションを起動させ、最終退場者がアプリケーションを終了させるようにして運用することが考えられる。しかしながら、例えば複数階に跨るフロアを有する会社等のように管理対象区画が広い場合には、退場する者は自分が最終退場者であるか否かを容易に把握することができないため、最終退場者でない者が誤ってアプリケーションを終了してしまう可能性がある。この場合、その後の退場者が退場処理を行うことができない、又は再度アプリケーションを起動する必要が生じることとなり、不便である。また、このように最終退場者以外の者がアプリケーションを終了した場合、その後管理対象区画内に部外者が存在した場合には、その部外者がＰＣの中を閲覧することが可能となり、セキュリティ上の問題が生じることとなる。
【０００６】
このように、ＲＦＩＤシステムを入退場管理システムに適用する場合には、必ずしも最終の退場者がアプリケーションを終了するとは限らないという課題が存在する。
【０００７】
本発明の目的は、最終退場者が退場するまでは確実にアプリケーションを実行中の状態にしておくことができ、セキュリティーを確保することができる入退場管理システム、入退場管理端末を提供することにある。
【課題を解決するための手段】
【０００８】
上記目的を達成するために、第１の発明は、所定の入退場管理アプリケーションを実行することにより、管理対象区画における入場者及び退場者の入退場管理を行う管理手段と、前記管理対象区画に前記入場者が入場するときの所定の入場時操作を検出する入場操作検出手段と、前記管理対象区画より前記退場者が退場するときの所定の退場時操作を検出する退場操作検出手段と、前記入場操作検出手段及び前記退場操作検出手段の検出結果に応じて、前記管理対象区画内に残存する残存者の人数を算出する人数算出手段と、前記退場操作検出手段で検出した前記退場時操作に伴い、前記人数算出手段で算出される前記残存者の人数が減少して０になった場合、前記管理手段で実行される前記入退場管理アプリケーションを終了処理する終了処理手段とを有することを特徴とする。
【０００９】
本願第１発明の入退場管理システムは、所定の管理対象区画における入場者及び退場者の入退場管理を行うものである。すなわち、管理手段において入退場管理アプリケーションを起動させ実行している状態で、管理対象区画への入場者が所定の入場時操作を行うと、その操作が入場操作検出手段で検出され、これに対応して人数算出手段によって管理対象区画内の残存者の人数が更新される。このようにして一旦入場した人物が、管理対象区画から退場するとき、その退場者が所定の退場時操作を行うと、その操作が退場操作検出手段で検出され、これに対応して人数算出手段によって管理対象区画内の残存者の人数が更新される。
【００１０】
このように、入場又は退場のたびにひとりひとりを検出して残存人数をカウントして更新していくことにより、ある退場者が退場するときに当該管理対象区画の残存者人数が０となったら、その退場者が最後の退場者であることとなる。この最終退場者が退場すれば入退場管理アプリケーションの実行は不要であるため、終了処理手段が当該入退場管理アプリケーションを終了処理する。
【００１１】
これにより、誰でもアプリケーションを終了できる場合と異なり、最終退場者が退場するまでは確実にアプリケーションを実行中の状態にしておくことができ、セキュリティーを確保することができる。また、パスワードを知る者のみがアプリケーションを終了できる場合と異なり、最終退場者が退場するときに確実にアプリケーションを終了させることができる。
【００１２】
第２発明の入退場管理システムは、上記第１発明において、前記人数算出手段は、前記入場操作検出手段で前記入場時操作が検出されるごとに、その検出した人数分、前記残存者の人数を増大させ、前記退場操作検出手段で前記退場時操作が検出されるごとに、その検出した人数分、前記残存者の人数を減少させることを特徴とする。
【００１３】
入場者が通過した人数だけ管理対象区画の残存者のカウントアップを行い、退場者が通過した人数だけ管理対象区画の残存者のカウントダウンを行うことにより、管理対象区画内の人数を正確に算出することができる。
【００１４】
第３発明の入退場管理システムは、上記第１又は第２発明において、前記入場操作検出手段及び前記退場操作検出手段は、前記入場者又は前記退場者により読み取り操作された非接触読み取り媒体より、非接触で情報を読み取る非接触読み取り手段であることを特徴とする。
【００１５】
これにより、入場者や退場者は、操作手段でパスワードを入力する等の煩雑な手動操作なしに、非接触読み取り媒体を非接触読み取り手段にかざす簡単な操作だけで、入場時操作や退場時操作を実行することができる。この結果、入場者及び退場者の労力負担を低減することができ、また入退場をスムーズに行えることから、入退場者が集中する時刻における人混み渋滞の発生を防止できる効果もある。
【００１６】
第４発明の入退場管理システムは、上記第３発明において、前記非接触読み取り手段は、前記入場者又は前記退場者に付随された、前記非接触読み取り媒体としての無線タグより、無線通信を介して情報取得を行う無線読み取り手段であることを特徴とする。
【００１７】
これにより、入場者や退場者は、無線タグを無線読み取り手段のアンテナにかざす等の簡単な操作だけで、入場時操作や退場時操作を実行することができる。また、無線通信による検出とすることで、距離が離れた遠隔検出が可能となり、さらに入退場をスムーズに行うことができる効果もある。
【００１８】
第５発明の入退場管理システムは、上記第４発明において、前記入場者又は前記退場者として予定された人物に係わる人物識別情報と、当該人物に付随される前記無線タグのタグ識別情報とを対応づけて記録するためのタグＩＤ管理データベースを有することを特徴とする。
【００１９】
これにより、各無線タグと人物とを確実に対応づけ、タグ識別情報を読み取ることで当該入場者又は退場者が誰であるかを容易かつ確実に把握することができる。
【００２０】
第６発明の入退場管理システムは、上記第５発明において、前記入場者により前記無線タグが読み取り操作されたとき、前記無線読み取り手段で取得された前記無線タグの前記タグ識別情報が、前記タグＩＤ管理データベースに未記録の新規なタグ識別情報であった場合には、当該タグ識別情報を前記タグＩＤ管理データベースに記録処理するタグＩＤ記録処理手段を有することを特徴とする。
【００２１】
これにより、新規に管理対象区画に入場した入場者をもらさず登録し、退場者として退場するまで継続して監視することができる。
【００２２】
第７発明の入退場管理システムは、上記第５又は第６発明において、前記退場者により前記無線タグが読み取り操作されたとき、前記無線読み取り手段で取得された前記無線タグの前記タグ識別情報が、前記タグＩＤ管理データベースに未記録の新規なタグ識別情報であった場合には、所定のエラー処理を行うエラー処理手段を有することを特徴とする。
【００２３】
これにより、入場者として登録していない人物が退場しようとしていることを明確に報知することができるので、不法侵入者等を排除することができる。
【００２４】
第８発明の入退場管理システムは、上記第５乃至第７発明のいずれかにおいて、前記入場者又は前記退場者により前記無線タグが読み取り操作されたとき、前記無線読み取り手段で取得された前記無線タグの前記タグ識別情報をキーとして前記タグＩＤ管理データベースを参照し、対応する前記人物識別情報を取得する人物識別情報取得手段と、前記人物識別情報取得手段で取得された前記人物識別情報に対応した表示を行う表示手段とを有することを特徴とする。
【００２５】
これにより、入退場時に当該入退場者の氏名等を明示して、確かに入退場操作を検出したことを報知することができる。また、例えば最終退場者に対し、当該退場者の氏名等を明示して自分が最終退場者である旨を認識させることも可能となる。
【００２６】
第９発明の入退場管理システムは、上記第３発明において、前記非接触読み取り手段は、前記入場者又は前記退場者に付随された、前記非接触読み取り媒体としてのバーコード記録部より、光学的に情報取得を行う光学読み取り手段であることを特徴とする。
【００２７】
これにより、入場者や退場者は、バーコード記録部を備えたカード等を光学読み取り手段にかざす等の簡単な操作だけで、入場時操作や退場時操作を実行することができる。また、バーコードを用いることで、安価に非接触読み取り方式を実現できるという効果もある。
【００２８】
第１０発明の入退場管理システムは、上記第１又は第２発明において、前記入場操作検出手段及び前記退場操作検出手段は、操作手段における、前記入場者又は前記退場者による所定のパスワードの入力操作を検出する入力操作検出手段であることを特徴とする。
【００２９】
これにより、非接触読み取りによる入退場操作を行う場合と異なり、信頼性の高い確実な操作検出を行うことができる。また、非接触読み取りの場合のように、入場者や退場者が、バーコード記録部を備えたカードや無線タグを所持する必要がなく、身軽に入退場することができる。
【００３０】
第１１発明の入退場管理システムは、上記第１乃至第１０発明のいずれかにおいて、前記入場者又は前記退場者として予定された人物に係わる人物識別情報と、当該人物の入退場時刻とを対応づけて記録するための入退場管理データベースと、前記入場操作検出手段及び前記退場操作検出手段の検出結果に応じて、当該検出時の時刻情報に基づき、前記入退場管理データベースに対し、対応する記録処理を行う時刻記録処理手段とを有することを特徴とする。
【００３１】
これにより、入退場管理データベースに登録された人物について、入場時刻と退場時刻を記録（打刻）して管理することができるので、社員の出退勤管理等に活用することができる。
【００３２】
第１２発明の入退場管理システムは、上記第１乃至第１１発明のいずれかにおいて、前記終了処理手段は、前記終了処理として、前記管理手段で起動中の前記入退場管理アプリケーションを終了し当該アプリケーションによる表示画面を閉じることを特徴とする。
【００３３】
最終退場者の退場時に入退場アプリケーションを閉じることにより、最終退場者が退場後の不要なアプリケーションの実行は回避することができる。また、電源をオフにする場合と異なり、他のアプリケーションなどその他の機能については維持したままとすることができる。
【００３４】
第１３発明の入退場管理システムは、上記第１乃至第１１発明のいずれかにおいて、前記終了処理手段は、前記終了処理として、前記管理手段を備えた管理端末の電源をＯＦＦすることを特徴とする。
【００３５】
最終退場者の退場時に管理端末の電源をオフとすることにより、最終退場者が退場後の不要なアプリケーションの実行を確実に防止することができる。また、アプリケーションを閉じるのみの場合と異なり、節電を図れる効果もある。
【００３６】
上記目的を達成するために、第１４発明の入退場管理端末は、所定の入退場管理アプリケーションを実行することにより、管理対象区画における入場者及び退場者の入退場管理を行う入退場管理端末であって、前記管理対象区画に前記入場者が入場するときの所定の入場時操作を検出する入場操作検出手段と、前記管理対象区画より前記退場者が退場するときの所定の退場時操作を検出する退場操作検出手段と、前記入場操作検出手段及び前記退場操作検出手段の検出結果に応じて、前記管理対象区画内に残存する残存者の人数を算出する人数算出手段と、前記退場操作検出手段で検出した前記退場時操作に伴い、前記人数算出手段で算出される前記残存者の人数が減少して０になった場合、前記実行される前記入退場管理アプリケーションを終了処理する終了処理手段とを有することを特徴とする。
【００３７】
本願第１４発明の入退場管理端末は、所定の管理対象区画における入場者及び退場者の入退場管理を行うものである。すなわち、入退場管理アプリケーションを起動させ実行している状態で、管理対象区画への入場者が所定の入場時操作を行うと、その操作が入場操作検出手段で検出され、これに対応して人数算出手段によって管理対象区画内の残存者の人数が更新される。このようにして一旦入場した人物が、管理対象区画から退場するとき、その退場者が所定の退場時操作を行うと、その操作が退場操作検出手段で検出され、これに対応して人数算出手段によって管理対象区画内の残存者の人数が更新される。
【００３８】
このように、入場又は退場のたびにひとりひとりを検出して残存人数をカウントして更新していくことにより、ある退場者が退場するときに当該管理対象区画の残存者人数が０となったら、その退場者が最後の退場者であることとなる。この最終退場者が退場すれば入退場管理アプリケーションの実行は不要であるため、終了処理手段が当該入退場管理アプリケーションを終了処理する。
【００３９】
これにより、誰でもアプリケーションを終了できる場合と異なり、最終退場者が退場するまでは確実にアプリケーションを実行中の状態にしておくことができ、セキュリティーを確保することができる。また、パスワードを知る者のみがアプリケーションを終了できる場合と異なり、最終退場者が退場するときに確実にアプリケーションを終了させることができる。さらに、１つの入退場管理端末が各手段を備えるオールインワンタイプとすることにより、複数の装置を組み合わせてシステムを構築する場合よりも構成を簡素化でき、また手軽に入退場管理システムを実現することができ、さらに必要時には全体の移動も容易に行うことができる。
【発明の効果】
【００４０】
本発明によれば、最終退場者が退場するまでは確実にアプリケーションを実行中の状態にしておくことができ、セキュリティーを確保することができる。
【発明を実施するための最良の形態】
【００４１】
以下、本発明の一実施の形態を図面を参照しつつ説明する。
【００４２】
図１に、本実施形態の入退場管理システムＩＳの全体構成を示す。
【００４３】
入退場管理システムＩＳは、本実施形態における管理対象区画であるオフィスにおける入場者及び退場者の入退場管理を行うものである。この入退場管理システムＩＳは、オフィスへの入場者及び退場者である社員に付随（携帯、所持等）された社員証カードＴより、無線通信を介して情報の取得を行うリーダ１００（非接触読み取り手段、無線読み取り手段）と、このリーダ１００と例えばＵＳＢ等のインターフェースを介して接続され、リーダ１００を操作可能なＰＣ端末２００と、このＰＣ端末２００と有線あるいは無線のネットワークＮＷ（ＬＡＮ、無線ＬＡＮ等）を介して情報入出力可能に接続されたサーバ３００とを有している。なお、ここではリーダ１００とＰＣ端末２００とを有線接続させた場合を例示したが、無線通信を介して無線接続させてもよい。
【００４４】
社員証カードＴ（非接触読み取り媒体）には、情報を記憶するＩＣ回路部１５０及び情報の送受信を行うタグアンテナ１５１を備えた無線タグ回路素子Ｔｏ（無線タグ）が設けられている（後述の図３、図７参照）。上記ＩＣ回路部１５０には、各無線タグ回路素子Ｔｏの固有の識別情報であるタグＩＤ（タグ識別情報）が記憶されている。
【００４５】
ＰＣ端末２００（管理端末）は、液晶ディスプレイ等の表示部２０１（表示手段）及びキーボードやマウス等の操作部２０２（操作手段）を有している。このＰＣ端末２００には、所定の入退場管理アプリケーション（以下適宜、単にアプリケーションという）がインストールされており、ＰＣ端末２００の電源投入時に自動又は手動操作によりアプリケーションが起動される。このアプリケーションが実行されている間は、表示部２０１に入退場管理画面（後述の図２参照）が表示され、社員が社員証カードＴをリーダ１００にかざすことにより、入場時刻又は退場時刻の記録等が行われる。なお、このアプリケーション実行中の状態では、表示部２０１一杯に入退場管理画面が表示されることで、部外者等によるＰＣ端末２００内の閲覧及び操作等ができないようになっている。その後、最終退場者である社員が退場する際には、自動的にアプリケーションが終了する（詳細は後述）。
【００４６】
図２に、ＰＣ端末２００の表示部２０１に表示される入退場管理画面の一例を示す。なお、図２（ａ）は入場する場合、図２（ｂ）は退場する場合を示している。
【００４７】
これら図２（ａ）及び図２（ｂ）において、入退場管理画面２１０は、日付及び時刻を表示する日時表示部２１１と、社員が入場をする際に選択する入場選択部２１２と、社員が退場をする際に選択する退場選択部２１３と、適宜のメッセージ等を表示するメッセージ表示部２１４とを有している。メッセージ表示部２１４の下方には、入場（図中「ＩＮ」と表示）及び退場（図中「ＯＵＴ」と表示）のどちらが選択されているかが表示されている。
【００４８】
社員がオフィスに入場する際には、図２（ａ）に示すように、まず操作部２０２を用いて入場選択部２１２を選択し、社員証カードＴをリーダ１００にかざす（入場時操作）。これにより、社員証カードＴの無線タグ回路素子Ｔｏに対し情報読み取りが行われ、入場時刻の記録やオフィス内に残存する残存者数のカウント（この場合は加算）等が行われる。一方、社員がオフィスから退場する際には、図２（ｂ）に示すように、まず操作部２０２を用いて退場選択部２１３を選択し、社員証カードＴをリーダ１００にかざす（退場時操作）。これにより、社員証カードＴの無線タグ回路素子Ｔｏに対し情報読み取りが行われ、退場時刻の記録や残存者数のカウント（この場合減算）等が行われる。
【００４９】
なお、表示部２０１をタッチパネルで構成し、上記入場選択部２１２及び退場選択部２１３を社員が直接画面に触れながら選択できるようにしてもよい。
【００５０】
図３に、入退場管理システムＩＳのシステム全体の機能構成を示す。
【００５１】
この図３において、ＰＣ端末２００は、上記表示部２０１及び操作部２０２と、図示しないＣＰＵ及びＲＡＭ、ＲＯＭ等のメモリを有する制御回路２０３と、サーバ３００との間でネットワークＮＷを介して行われるネットワーク通信の制御を行うネットワーク通信制御部２０４と、上記入退場管理アプリケーションのプログラム等を記憶するハードディスク装置等の大容量記憶装置２０５と、ＵＳＢなどの規格に準拠するインターフェース接続を介してリーダ１００との情報信号の授受の制御を行う通信制御部２０６とを備えている。
【００５２】
制御回路２０３は、ＲＡＭの一時記憶機能を利用しつつＲＯＭに予め記憶されたプログラムを実行し、それによって上記入退場管理アプリケーションを実行したり、リーダ１００との間で各種の指示信号・情報信号の送受を行うようになっている。
【００５３】
一方、リーダ１００は、社員証カードＴに設けられ、情報を記憶するＩＣ回路部１５０及び情報の送受信を行うタグアンテナ１５１を備えた無線タグ回路素子Ｔｏとの間で無線通信を行う通信アンテナ１０１と、この通信アンテナ１０１を介し上記無線タグ回路素子ＴｏのＩＣ回路部１５０へ無線通信によりアクセスすると共に、その無線タグ回路素子Ｔｏから読み出された信号を処理する高周波回路１０２と、上記ＰＣ端末２００との間で行われる通信の制御を行う通信制御部１０３とを有している。上記高周波回路１０２とＰＣ端末２００の制御回路２０３とは、通信制御部１０３，２０６を介して情報の送受信が可能となっている。
【００５４】
また、サーバ３００は、上記ＰＣ端末２００との間でネットワークＮＷを介して行われるネットワーク通信の制御を行うネットワーク通信制御部３０１と、サーバ３００全体の動作を制御する制御回路３０２と、入場者又は退場者として予定された人物である社員に係わる人物識別情報（氏名、社員番号等）と、当該社員に付随される社員証カードＴのタグＩＤとを対応づけて記録するためのタグＩＤ管理データベース３０３と、上記人物識別情報と、社員の入退場時刻とを対応づけて記録するための入退場管理データベース３０４とを有している。
【００５５】
上記タグＩＤ管理データベース３０３には、オフィスの全社員に係わる社員証カードＴのタグＩＤ及び人物識別情報が対応付けられて登録されている。これにより、社員の入退場時にリーダ１００で社員証カードＴよりタグＩＤを取得した際に、当該タグＩＤがタグＩＤ管理データベース３０３に登録されているか否かを検索することで、社員証カードＴをかざした人物が社員であるか否かを確認できるようになっている。またタグＩＤ管理データベース３０３では、オフィス内に残存する残存者のリストである残存者リスト（後述の図４参照）が日々記録される。この残存者リストにおいては、入場時にはリーダ１００により社員証カードＴから取得したタグＩＤと当該社員に係わる人物識別情報とが対応づけられて追加され、退場時には取得したタグＩＤと対応する人物識別情報とが削除される。この残存者リストに基づき、オフィス内に残存する上記残存者数がカウントされるようになっている。
【００５６】
また上記入退場管理データベース３０４では、入退場を行う社員の人物識別情報、及びその社員の入退場時刻とを対応づけて記録する勤怠管理リスト（後述の図５参照）が日々記録されるようになっている。
【００５７】
図４に、タグＩＤ管理データベース３０３に記録される上記残存者リストの一例を示す。
【００５８】
この図４に示す例では、残存者リストに、リーダ１００により社員証カードＴから取得したタグＩＤと、対応する社員に係わる人物識別情報としての氏名及び社員番号とが、対応付けられて記録されている。この例ではオフィス内に４人の社員が残存しているため、残存者数は４と記録されている。この残存者リストにおいて、上述したように、社員が入場すると、リーダ１００により社員証カードＴから取得したタグＩＤと当該社員に係わる氏名及び社員番号が対応づけられてリストに追加され、残存者数が加算される。一方、社員が退場すると、取得したタグＩＤと対応する氏名及び社員番号とがリストから削除され、残存者数が減算される。
【００５９】
図５に、入退場管理データベース３０４に記録される上記勤怠管理リストの一例を示す。
【００６０】
この図５に示す例では、入退場を行う社員の人物識別情報としての氏名及び社員番号と、その社員の入場時刻及び退場時刻とが対応づけて記録されている。なお、この例では勤怠管理リストに人物識別情報と入退場時刻のみを記録するようにしたが、上述の残存者リストと同様にタグＩＤについても対応付けて記録するようにしてもよい。
【００６１】
図６に、リーダ１００の高周波回路１０２の詳細機能構成を示す。
【００６２】
この図６において、高周波回路１０２は、上記通信アンテナ１０１を介し上記社員証カードＴの無線タグ回路素子ＴｏのＩＣ回路部１５０の情報へアクセスするものである。この高周波回路１０２には、ＰＣ端末２００の制御回路２０３により生成される、社員証カードＴの無線タグ回路素子ＴｏのＩＣ回路部１５０から読み出された信号を処理して情報を読み出すと共に無線タグ回路素子ＴｏのＩＣ回路部１５０へアクセスして所望の情報を書き込むための各種コマンドが、通信制御部２０６，１０３を介して入力される。なお、煩雑防止のため図６では通信制御部２０６，１０３の図示を省略している。
【００６３】
高周波回路１０２は、通信アンテナ１０１を介し社員証カードＴの無線タグ回路素子Ｔｏに対して信号を送信する送信部１４２と、通信アンテナ１０１により受信された無線タグ回路素子Ｔｏからの応答波を入力する受信部１４３と、送受分離器１４４とから構成される。
【００６４】
送信部１４２は、無線タグ回路素子ＴｏのＩＣ回路部１５０の無線タグ情報（タグＩＤ）にアクセスするための質問波を生成するブロックである。すなわち、送信部１４２は、周波数の基準信号を出力する水晶振動子１４５Ａと、制御回路２０３の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ、及びＶＣＯ（Ｖｏｌｔａｇｅ  Ｃｏｎｔｒｏｌｌｅｄ  Ｏｓｃｉｌｌａｔｏｒ）１４５Ｃと、上記制御回路２０３から供給される信号に基づいて上記発生させられた搬送波を変調（この例では制御回路２０３からの「ＴＸ＿ＡＳＫ」信号に基づく振幅変調）する送信乗算回路１４６（振幅変調の場合は増幅率可変アンプ等を用いてもよい）と、その送信乗算回路１４６により変調された変調波を増幅（この例では制御回路２０３からの「ＴＸ＿ＰＷＲ」信号によって増幅率を決定される増幅）して所望の質問波を生成するゲイン制御送信アンプ１４７とを備えている。そして、上記発生される搬送波は、例えばＵＨＦ帯（又はマイクロ波帯、あるいは短波帯でもよい）の周波数を用いており、上記ゲイン制御送信アンプ１４７の出力は、送受分離器１４４を介し通信アンテナ１０１に伝達されて無線タグ回路素子ＴｏのＩＣ回路部１５０に供給される。なお、質問波は上記のように変調した信号（変調波）に限られず、単なる搬送波のみの場合もある。
【００６５】
受信部１４３は、通信アンテナ１０１で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記通信アンテナ１０１で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路２０３に入力されて処理される。
【００６６】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ)回路１７８にも入力され、それらの信号の強度を示す信号「ＲＳＳＩ」が制御回路２０３に入力される。これにより、ＰＣ端末２００では、無線タグ回路素子Ｔｏとの通信時における当該無線タグ回路素子Ｔｏからの信号の受信強度を検出することが可能となっている。
【００６７】
図７に、上記社員証カードＴに備えられる無線タグ回路素子Ｔｏの機能的構成の一例を示す。
【００６８】
この図７において、無線タグ回路素子Ｔｏは、上述したようにリーダ１００の通信アンテナ１０１と非接触で信号の送受信を行う上記タグアンテナ１５１と、このタグアンテナ１５１に接続された上記ＩＣ回路部１５０とを有している。
【００６９】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００７０】
変復調部１５６は、タグアンテナ１５１により受信された上記リーダ１００の通信アンテナ１０１からの質問波の復調を行い、また、上記制御部１５７からの返信信号を変調し、タグアンテナ１５１より応答波（タグＩＤを含む信号）として送信する。
【００７１】
クロック抽出部１５４は受信した信号からクロック成分を抽出し、当該クロック成分の周波数に対応したクロックを制御部１５７に供給する。
【００７２】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００７３】
図８に、入退場管理を行う際に、ＰＣ端末２００の制御回路２０３によって実行される制御手順を示す。このフローチャートは、ＰＣ端末２００の電源が投入された際に開始される。
【００７４】
ステップＳ５では、制御回路２０３は、大容量記憶装置２０５に格納された入退場管理アプリケーションプログラムを読み出し、当該アプリケーションを起動する。なお、ここでは制御回路２０３が自動的にアプリケーションを起動するようにしたが、社員が手動操作によりアプリケーションの起動を行うようにしてもよい。
【００７５】
ステップＳ１０では、制御回路２０３は、オフィス内に残存する残存者数を表す変数Ｎを０に初期化する。
【００７６】
ステップＳ１５では、制御回路２０３は、通信制御部２０６，１０３を介してリーダ１００の高周波回路１０２に制御信号を送信し、無線タグ回路素子Ｔｏのメモリ部１５５に記憶されたタグＩＤを読み出すタグ読み取り信号として、所定の変調を行った質問波を通信アンテナ１０１を介して通信範囲内に存在する無線タグ回路素子Ｔｏに送信させる。
【００７７】
ステップＳ２０では、制御回路２０３は、上記タグ読み取り信号に対応して通信範囲内の無線タグ回路素子Ｔｏから返信されたリプライ信号を、通信制御部１０３，２０６を介して受信したか否かを判定する。リプライ信号を受信しない場合には、判定が満たされずに上記ステップＳ１５に戻り、再び高周波回路１０２に制御信号を送信してタグ読み取り信号の送信を行う（リトライ）。なお、この図８では図示を省略しているが、上記リトライは予め定められた設定回数だけ行われ、その間にリプライ信号を受信しない場合には、対応する処理（例えば表示部２０１にエラー表示を行う等）を行う。一方、リプライ信号を受信した場合には、判定が満たされてステップＳ２５に移る。
【００７８】
ステップＳ２５では、制御回路２０３は、ネットワーク通信制御部２０４及びネットワークＮＷを介してサーバ３００のタグＩＤ管理データベース３０３にアクセスし、上記ステップＳ２０で受信したリプライ信号に基づき取得したタグＩＤが、タグＩＤ管理データベース３０３に登録されているか否かを判定する。登録されていない場合にはステップＳ３０に移り、所定のエラー処理を行う（例えば表示部２０１に「未登録です」等のエラー表示を行ったり、警備員に通報する等）。その後、後述のステップＳ７５に移る。一方、上記ステップＳ２５において、取得したタグＩＤがタグＩＤ管理データベース３０３に登録されている場合には、判定が満たされてステップＳ３５に移る。
【００７９】
ステップＳ３５では、制御回路２０３は、社員が入場及び退場のうちいずれをしようとしているのかを判定する。社員が入場選択部２１２を選択している場合には、社員が入場しようとしているとみなし、判定が満たされてステップＳ４０に移る。
【００８０】
ステップＳ４０では、制御回路２０３は、ネットワーク通信制御部２０４及びネットワークＮＷを介してサーバ３００のタグＩＤ管理データベース３０３にアクセスし、リーダ１００を介し社員証カードＴから取得したタグＩＤをキーとしてタグＩＤ管理データベース３０３内を参照し、対応する人物識別情報を取得する。そして、入退場管理データベース３０４にアクセスし、上記取得した人物識別情報と、図示しない時計手段から取得した入場時刻とを対応づけて、入退場管理データベース３０４の上記勤怠管理リストに記録する。なお、この場合において、前述したようにタグＩＤについても対応づけて記録してもよい。
【００８１】
ステップＳ４５では、制御回路２０３は、ネットワーク通信制御部２０４及びネットワークＮＷを介してサーバ３００のタグＩＤ管理データベース３０３にアクセスし、リーダ１００により取得した社員証カードＴのタグＩＤと、対応する人物識別情報とを対応付けて上記残存者リストに記録する。
【００８２】
ステップＳ５０では、制御回路２０３は、オフィス内に残存する残存者数を表す上記変数Ｎに１を加える。なお、この残存者数Ｎは、残存者リストの対応する箇所に記録される（前述の図４参照）。その後、後述のステップＳ７５に移る。
【００８３】
一方、先のステップＳ３５において、社員が退場選択部２１３を選択している場合には、社員が退場しようとしているとみなし、判定が満たされずにステップＳ５５に移る。
【００８４】
ステップＳ５５では、制御回路２０３は、ネットワーク通信制御部２０４及びネットワークＮＷを介してサーバ３００のタグＩＤ管理データベース３０３にアクセスし、リーダ１００により取得した社員証カードＴのタグＩＤが残存者リストに含まれるか否かを判定する。残存者リストに含まれない場合には、前述のステップＳ３０に移り、所定のエラー処理を行う（例えば表示部２０１に「入場処理がされていません」等のエラー表示を行ったり、警備員に通報する等）。その後、後述のステップＳ７５に移る。一方、上記ステップＳ５５において、取得したタグＩＤが残存者リストに含まれている場合には、判定が満たされてステップＳ６０に移る。
【００８５】
ステップＳ６０では、制御回路２０３は、ネットワーク通信制御部２０４及びネットワークＮＷを介してサーバ３００のタグＩＤ管理データベース３０３にアクセスし、リーダ１００により取得した社員証カードＴのタグＩＤをキーとしてタグＩＤ管理データベース３０３内を参照し、対応する人物識別情報を取得する。そして、入退場管理データベース３０４にアクセスし、上記取得した対応する人物識別情報と、図示しない時計手段から取得した退場時刻とを対応づけて、入退場管理データベース３０４の上記勤怠管理リストに記録する。なお、この場合において、前述したようにタグＩＤについても対応づけて記録してもよい。
【００８６】
ステップＳ６５では、制御回路２０３は、残存者リストから、リーダ１００により取得したタグＩＤ及び対応する人物識別情報を削除する。
【００８７】
ステップＳ７０では、制御回路２０３は、オフィス内に残存する残存者数を表す上記変数Ｎから１を減らす。なお、この残存者数Ｎは、残存者リストの対応する箇所に記録される（前述の図４参照）。その後、後述のステップＳ７５に移る。
【００８８】
ステップＳ７５では、制御回路２０３は、オフィス内に残存する残存者数を表す変数Ｎが０であるか否かを判定する。Ｎが０でない場合には、判定が満たされず、先のステップＳ１５に戻る。そして、同様の手順を繰り返す。一方、Ｎが０である場合には、判定が満たされて、ステップＳ８０に移る。
【００８９】
ステップＳ８０では、制御回路２０３は、実行中の入退場管理アプリケーションを終了処理する。これにより、当該アプリケーションによる入退場管理画面（前述の図２参照）が閉じられる。なおこのとき、アプリケーションの終了のみでなく、アプリケーションの終了後、ログアウト等の他の処理を行ってもよいし、さらにＰＣ端末２００の電源を落とすようにしてもよい。以上により、本フローを終了する。
【００９０】
上記において、ステップＳ５〜ステップＳ７５が、特許請求の範囲に記載の管理対象区画における入場者及び退場者の入退場管理を行う管理手段を構成し、ステップＳ１５、ステップＳ２０、及びステップＳ３５が、管理対象区画に入場者が入場するときの所定の入場時操作を検出する入場操作検出手段を構成すると共に、管理対象区画より退場者が退場するときの所定の退場時操作を検出する退場操作検出手段をも構成する。また、ステップＳ５０及びステップＳ７０が、管理対象区画内に残存する残存者の人数を算出する人数算出手段を構成し、ステップＳ８０が、残存者の人数が減少して０になった場合、管理手段で実行される入退場管理アプリケーションを終了処理する終了処理手段を構成する。また、ステップＳ８０が、所定のエラー処理を行うエラー処理手段を構成し、ステップＳ４０及びステップＳ６０が、入退場管理データベースに対し、対応する記録処理を行う時刻記録処理手段を構成する。
【００９１】
以上説明した本実施形態の入退場管理システムＩＳでは、ＰＣ端末２００において入退場管理アプリケーションを起動させ実行している状態で、オフィスへの入場者が所定の入場時操作を行うと、リーダ１００により社員証カードＴからタグＩＤが読み取られ、これに対応してオフィス内の残存者の人数が更新される。このようにして一旦入場した人物が、オフィスから退場するとき、その退場者が所定の退場時操作を行うと、リーダ１００により社員証カードＴからタグＩＤが読み取られ、これに対応してオフィス内の残存者の人数が更新される。
【００９２】
このように、入場又は退場のたびにひとりひとりを検出して残存人数をカウントして更新していくことにより、ある退場者が退場するときにオフィスの残存者人数が０となったら、その退場者が最後の退場者であることとなる。この最終退場者が退場すれば入退場管理アプリケーションの実行は不要であるため、当該アプリケーションを終了処理する。
【００９３】
これにより、誰でもアプリケーションを終了できる場合と異なり、最終退場者が退場するまでは確実にアプリケーションを実行中の状態にしておくことができるので、退場者が退場処理を行うことができなかったり、再度アプリケーションを起動する必要が生じたりすることがなく、退場者の利便性を高めることができる。また、最終退場者以外の者がアプリケーションを終了した場合、その後管理対象区画内に部外者が存在した場合には、その部外者がＰＣ端末２００の中を閲覧等することが可能となり、セキュリティー上の問題が生じることとなるが、本実施形態では最終退場者が退場するまでは確実にアプリケーションを実行中の状態にしておくことができるので、セキュリティーを確保することができる。さらに、例えばセキュリティーを確保するためにパスワードを知る者のみがアプリケーションを終了できる構成とすることも考えられるが、この場合、その者が必ずしも最終退場者となるとは限らないため、パスワードを知らない人が最終退場者となった場合にはアプリケーションを終了できないという問題が生じるが、本実施形態では、この場合と異なり、最終退場者が退場するときに確実にアプリケーションを終了させることができる。
【００９４】
また、本実施形態では特に、社員による入場時操作がなされるごとに、その人数分、オフィス内の残存者の人数を増大させ、社員による退場時操作がなされるごとに、その人数分、残存者の人数を減少させる。このように、入場者が通過した人数だけオフィスの残存者のカウントアップを行い、退場者が通過した人数だけオフィスの残存者のカウントダウンを行うことにより、オフィスの人数を正確に算出することができる。
【００９５】
また、本実施形態では特に、リーダ１００によって、入場者又は退場者により読み取り操作された社員証カードＴより、非接触でタグＩＤを読み取る。これにより、入場者や退場者は、操作部２０２等の操作手段でパスワードを入力する等の煩雑な手動操作なしに、社員証カードＴをリーダ１００にかざす簡単な操作だけで、入場時操作や退場時操作を実行することができる。この結果、入場者及び退場者の労力負担を低減することができ、また入退場をスムーズに行えることから、入退場者が集中する時刻における人混み渋滞の発生を防止できる効果もある。
【００９６】
また、本実施形態では特に、リーダ１００によって、入場者又は退場者により読み取り操作された社員証カードＴより、無線通信によりタグＩＤを読み取る。このように無線通信による検出とすることで、距離が離れた遠隔検出が可能となり、さらに入退場をスムーズに行うことができる効果もある。
【００９７】
また、本実施形態では特に、社員に係わる人物識別情報と、当該人物に付随される社員証カードＴのタグＩＤとを対応づけて記録するためのタグＩＤ管理データベース３０３を有する。これにより、各社員証カードＴと社員とを確実に対応づけ、タグＩＤを読み取ることで当該入場者又は退場者が誰であるかを容易かつ確実に把握することができる。
【００９８】
また、本実施形態では特に、退場者により社員証カードＴが読み取り操作されたとき、リーダ１００により取得された社員証カードＴのタグＩＤが、タグＩＤ管理データベース３０３に未記録の新規なタグＩＤであった場合には、所定のエラー処理を行う。これにより、入場者として登録していない人物が退場しようとしていることを明確に報知することができるので、不法侵入者等を排除することができる。
【００９９】
また、本実施形態では特に、社員に係わる人物識別情報と、当該社員の入退場時刻とを対応づけて記録するための入退場管理データベース３０４を有し、社員が入場時操作及び退場時操作を行った際の時刻情報に基づき、入退場管理データベース３０４に対し、対応する記録処理を行う。これにより、入退場管理データベース３０４に登録された人物について、入場時刻と退場時刻を記録して管理することができるので、社員の出退勤管理等に活用することができる。
【０１００】
また、本実施形態では特に、最終退場者の退場時に、入退場管理アプリケーションを終了し、当該アプリケーションによる表示画面を閉じる。これにより、最終退場者が退場後の不要なアプリケーションの実行は回避することができる。また、ＰＣ端末２００の電源をオフにする場合と異なり、他のアプリケーションなどその他の機能については維持したままとすることができる。
【０１０１】
また、本実施形態では特に、最終退場者の退場時に、ＰＣ端末２００の電源をＯＦＦする。これにより、最終退場者が退場後の不要なアプリケーションの実行を確実に防止することができる。また、アプリケーションを閉じるのみの場合と異なり、節電を図れる効果もある。
【０１０２】
なお、本発明は、上記実施形態に限られるものではなく、その趣旨及び技術的思想を逸脱しない範囲内で種々の変形が可能である。以下、そのような変形例を順を追って説明する。
【０１０３】
（１）新規のタグＩＤを登録可能とする場合
上述の実施形態においては、リーダ１００により取得したタグＩＤがタグＩＤ管理データベース３０３に登録されていない場合に、エラー処理を行うようにしたが、例えば新たな社員が入社した場合等においては、エラー処理とせずに新規のタグＩＤを登録する必要がある。本変形例は、このような場合に対応するものである。
【０１０４】
図９に、本変形例におけるＰＣ端末２００の制御回路２０３によって実行される制御手順を示す。なお、前述の図８と同様の手順には同符号を付し説明を省略する。
【０１０５】
ステップＳ５〜ステップＳ２５は前述の図８と同様である。ステップＳ２５において、リーダ１００により取得したタグＩＤがタグＩＤ管理データベース３０３に登録されていない場合には、判定が満たされずにステップＳ２７に移る。
【０１０６】
ステップＳ２７では、制御回路２０３は、タグＩＤの新規登録を行うか否かを判定する。この判定は、例えば社員により操作部２０２を介してタグＩＤの新規登録指示が行われたか否かによって行う。タグＩＤの新規登録指示が行われていない場合には、判定が満たされずにステップＳ３０に移り、所定のエラー処理を行う。一方、タグＩＤの新規登録指示が行われた場合には、判定が満たされてステップＳ２８に移る。
【０１０７】
ステップＳ２８では、制御回路２０３は、ネットワーク通信制御部２０４及びネットワークＮＷを介してサーバ３００のタグＩＤ管理データベース３０３にアクセスし、リーダ１００により取得した社員証カードＴのタグＩＤを、対応する人物識別情報（氏名、社員番号等）と対応付けて登録する。なお、上記人物識別情報は、操作部２０２を介して適宜入力されたものである。これにより、タグＩＤ管理データベース３０３に新規のタグＩＤ及び対応する人物識別情報が登録されるので、その後入退場を行う際には、ステップＳ２５の判定が満たされるようになっている。
【０１０８】
上記以外の手順については前述の図８と同様であるので説明を省略する。なお、上記ステップＳ２８は、特許請求の範囲に記載のタグ識別情報をタグＩＤ管理データベースに記録処理するタグＩＤ記録処理手段を構成する。
【０１０９】
以上説明した変形例によれば、例えば新入社員や中途採用の社員のように、新規にオフィスに入場した入場者について、エラー処理とせずにもらさず登録し、退場者として退場するまで継続して監視することができる。
【０１１０】
（２）人物識別情報に対応する表示を行う場合
本変形例は、ＰＣ端末２００の表示部２０１に表示される入退場管理画面２１０のメッセージ表示部２１４において、人物識別情報に対応する表示（氏名等）を行うものである。
【０１１１】
図１０に、本変形例におけるＰＣ端末２００の制御回路２０３によって実行される制御手順を示す。なお、前述の図８と同様の手順には同符号を付し説明を省略する。
【０１１２】
ステップＳ５〜ステップＳ３５は前述の図８と同様である。ステップＳ３５において、社員が入場選択部２１２を選択している場合には、社員が入場しようとしているとみなし、判定が満たされてステップＳ３７に移る。
【０１１３】
ステップＳ３７では、制御回路２０３は、ネットワーク通信制御部２０４及びネットワークＮＷを介してサーバ３００のタグＩＤ管理データベース３０３にアクセスし、リーダ１００を介し社員証カードＴから取得したタグＩＤをキーとしてタグＩＤ管理データベース３０３内を参照し、対応する人物識別情報（氏名、社員番号等）を取得する。
【０１１４】
ステップＳ３８では、制御回路２０３は、表示部２０１に制御信号を出力し、上記ステップＳ３７で取得した人物識別情報に基づき、メッセージ表示部２１４に対応する表示（例えば「○○さん、おはようございます」等。後述の図１１参照）を行う。
【０１１５】
その後のステップＳ４０〜ステップＳ５０は前述の図８と同様であるので説明を省略する。一方、先のステップＳ３５において、社員が退場選択部２１３を選択している場合には、社員が退場しようとしているとみなし、判定が満たされずにステップＳ５２に移る。
【０１１６】
ステップＳ５２では、制御回路２０３は、上記ステップＳ３７と同様に、ネットワーク通信制御部２０４及びネットワークＮＷを介してサーバ３００のタグＩＤ管理データベース３０３にアクセスし、リーダ１００を介し社員証カードＴから取得したタグＩＤをキーとしてタグＩＤ管理データベース３０３内を参照し、対応する人物識別情報（氏名、社員番号等）を取得する。
【０１１７】
ステップＳ５３では、制御回路２０３は、表示部２０１に制御信号を出力し、上記ステップＳ５２で取得した人物識別情報に基づき、メッセージ表示部２１４に対応する表示（例えば「○○さん、お疲れ様でした」等。後述の図１１参照）を行う。
【０１１８】
その後のステップＳ５５〜ステップＳ８０は前述の図８と同様であるので説明を省略する。なお、上記において、ステップＳ３７及びステップＳ５２が、特許請求の範囲に記載の対応する人物識別情報を取得する人物識別情報取得手段を構成する。
【０１１９】
図１１に、本変形例のＰＣ端末２００の表示部２０１に表示される入退場管理画面の一例を示す。なお、図１１（ａ）は入場する場合、図１１（ｂ）は退場する場合を示している。
【０１２０】
これら図１１（ａ）及び図１１（ｂ）に示すように、社員がオフィスに入退場する際には、メッセージ表示部２１４に、タグＩＤ管理データベース３０３より取得した人物識別情報に基いて、その社員の氏名を明示した挨拶文が表示される。これにより、入退場時に当該入退場者の氏名等を明示して、確かに入退場操作を検出したことを当該入退場者に対し報知することができる。また、社員が入退場するたびに氏名を明示した挨拶文が表示されるので、社員に対し心理的に好感をもたらす効果もある。
【０１２１】
なお、メッセージ表示部２１４にその他の表示を行うようにしてもよい。例えば図１２に示すように、最終退場者である場合に、その旨及びアプリケーションを終了することを表示するようにしてもよい。これにより、最終退場者に対し自分が最終退場者である旨を認識させることができる。
【０１２２】
また、例えば図１３に示すように、その日のスケジュールに係わる情報等を表示するようにしてもよい。さらにこの他にも、例えば他人からの連絡事項や、仕事内容に関する情報等、様々な情報を表示させることも可能である。この場合、そのような表示させたい情報を、タグＩＤと対応づけて適宜のデータベースに登録しておけばよい。これにより、ＰＣ端末２００では、リーダ１００を介し社員証カードＴから取得したタグＩＤをキーとしてデータベースから当該情報を取得し、表示させることができる。このようにすることで、社員は入退場を行うたびに自分に係わる種々の情報を確認することができ、社員の利便性を向上することができる。
【０１２３】
（３）バーコードリーダで情報読み取りを行う場合
前述の実施形態では、リーダ１００により無線通信を介して社員証カードＴより情報を取得するようにしたが、これに限られず、例えばバーコードリーダを用いて光学的に情報取得を行うようにしてもよい。
【０１２４】
図１４に、本変形例の入退場管理システムＩＳのシステム全体の機能構成を示す。
【０１２５】
図１４において、本変形例では、社員証カードＴにバーコード記録部ＢＣが設けられている。またＰＣ端末２００は、上記社員証カードＴのバーコード記録部ＢＣから光学的にバーコードＩＤの取得を行うバーコードリーダ４００と、例えばＵＳＢ等のインターフェースを介して接続されている。
【０１２６】
バーコードリーダ４００（非接触読み取り手段、光学読み取り手段）は、社員証カードＴに設けられた上記バーコード記録部ＢＣから光学的に情報取得を行う光学読取部４０１と、ＰＣ端末２００との間で行われる通信の制御を行う通信制御部４０２とを有している。上記光学読取部４０１とＰＣ端末２００の制御回路２０３とは、通信制御部４０２，２０６を介して情報の送受信が可能となっている。
【０１２７】
本変形例では、社員がオフィスに入場する際には、まず操作部２０２を用いて入場選択部２１２を選択し、社員証カードＴをバーコードリーダ４００にかざす（入場時操作）。これにより、社員証カードＴのバーコード記録部ＢＣから情報読み取りが行われ、入場時刻の記録やオフィス内に残存する残存者数のカウント等が行われる。一方、社員がオフィスから退場する際には、まず操作部２０２を用いて退場選択部２１３を選択し、社員証カードＴをバーコードリーダ４００にかざす（退場時操作）。これにより、社員証カードＴのバーコード記録部ＢＣから情報読み取りが行われ、退場時刻の記録や残存者数のカウント等が行われる。
【０１２８】
本変形例のＰＣ端末２００の制御回路２０３によって実行される制御手順は、前述の図８に示すものと同様であるので説明を省略する。なおここでは、図８中ステップＳ１５，Ｓ２０の代わりに、バーコードリーダ４００の光学読取部４０１により社員証カードＴのバーコード記録部ＢＣからバーコードＩＤの取得を行う手順が実行される。
【０１２９】
以上説明した変形例によれば、入場者や退場者は、バーコード記録部ＢＣを備えた社員証カードＴをバーコードリーダ４００にかざすという簡単な操作だけで、入場時操作や退場時操作を実行することができる。また、バーコードを用いることで、安価に非接触読み取り方式を実現できるという効果もある。
【０１３０】
（４）社員がパスワード入力を行う場合
前述の実施形態では、入退場時に社員がリーダ１００に社員証カードＴをかざすようにしたが、これに限られず、例えば社員がパスワード入力を行って入退場を行うようにしてもよい。
【０１３１】
本変形例では、社員がオフィスに入場する際には、まず操作部２０２を用いて入場選択部２１２を選択し、さらに操作部２０２を用いて予め各社員ごとに定められた所定のパスワードを入力する（入場時操作）。一方、社員がオフィスから退場する際には、まず操作部２０２を用いて退場選択部２１３を選択し、さらに操作部２０２を用いてパスワードを入力する（退場時操作）。このとき、サーバ３００のＩＤデータベース（図示省略）には、全社員分のパスワードとその人物を識別するための人物ＩＤ、及び人物識別情報（氏名、社員番号等）とが対応付けられて記録されており、ＰＣ端末２００の制御回路２０３は、入力されたパスワードをキーとしてＩＤデータベースより人物ＩＤ及び人物識別情報を取得するようになっている。
【０１３２】
図１５に、本変形例におけるＰＣ端末２００の制御回路２０３によって実行される制御手順を示す。なお、前述の図８と同様の手順には同符号を付し説明を省略する。
【０１３３】
ステップＳ５及びステップＳ１０は前述の図８と同様である。ステップＳ２２では、制御回路２０３は、社員によりパスワードが入力されたか否かを判定する。パスワードが入力されるまで本ステップを繰り返し、パスワードが入力された場合には判定が満たされてステップＳ２３に移る。
【０１３４】
ステップＳ２３では、制御回路２０３は、ネットワーク通信制御部２０４及びネットワークＮＷを介してサーバ３００のＩＤ管理データベースにアクセスし、上記ステップＳ２２で入力されたパスワードが、ＩＤ管理データベースに登録されているか否かを判定する。登録されていない場合にはステップＳ３０に移り、所定のエラー処理を行う。一方、上記ステップＳ２３において、入力されたパスワードがＩＤ管理データベースに登録されている場合には、判定が満たされてステップＳ３５に移る。
【０１３５】
ステップＳ３５〜ステップＳ８０は前述の図８と同様である。すなわち、制御回路２０３は、上述したように入力されたパスワードをキーとしてＩＤデータベースより人物ＩＤ及び人物識別情報を取得する。そして、ステップＳ４０において、入退場管理データベース３０４にアクセスし、上記取得した人物識別情報と、図示しない時計手段から取得した入場時刻とを対応づけて、入退場管理データベース３０４の上記勤怠管理リストに記録する。さらにステップＳ４５では、制御回路２０３は、ＩＤ管理データベース３０３にアクセスし、取得した人物ＩＤと人物識別情報とを対応付けて残存者リストに記録する。その後の手順も同様であるので、説明を省略する。
【０１３６】
上記において、ステップＳ２２及びステップＳ３５は、特許請求の範囲に記載の入場者又は退場者による所定のパスワードの入力操作を検出する入力操作検出手段を構成する。
【０１３７】
以上説明した変形例によれば、リーダ１００やバーコードリーダ４００を用いて非接触読み取りによる入退場操作を行う場合と異なり、信頼性の高い確実な操作検出を行うことができる。また、非接触読み取りの場合のように、入場者や退場者が、バーコード記録部ＢＣや無線タグ回路素子Ｔｏを備えた社員証カードＴを所持する必要がなく、身軽に入退場することができる。
【０１３８】
（５）ＰＣ端末とリーダを一装置で構成する場合
前述の実施形態では、入退場管理システムＩＳが、リーダ１００と、ＰＣ端末２００とを有する構成としたが、これらの機能を一装置で有するタイムレコーダ装置を用いてもよい。
【０１３９】
図１６に、本変形例のタイムレコーダ装置５００の外観を示す。
【０１４０】
図１６において、タイムレコーダ装置５００（入退場管理端末）は、所定の入退場管理アプリケーションを実行することにより、オフィスにおける入場者及び退場者の入退場管理を行う入退場管理端末装置である。このタイムレコーダ装置５００は、その上面に、社員証カードＴに設けられた無線タグ回路素子Ｔｏとの間で無線通信を行う通信アンテナ５０７を有しており、その前面に、前述した入退場管理画面を表示する表示部５０１（表示手段）と、操作入力を行うための操作部５０２（操作手段）を有している。
【０１４１】
図１７に、タイムレコーダ装置５００を含む入退場管理システムＩＳのシステム全体の機能構成を示す。
【０１４２】
図１７において、タイムレコーダ装置５００は、上記表示部５０１及び操作部５０２と、図示しないＣＰＵ及びＲＡＭ、ＲＯＭ等のメモリを有する制御回路５０３と、サーバ３００との間でネットワークＮＷを介して行われるネットワーク通信の制御を行うネットワーク通信制御部５０４と、上記入退場管理アプリケーションのプログラム等を記憶するハードディスク装置等の大容量記憶装置５０５と、社員証カードＴに備えられた無線タグ回路素子Ｔｏとの間で無線通信を行う上記通信アンテナ５０７と、この通信アンテナ５０７を介し上記無線タグ回路素子ＴｏのＩＣ回路部１５０へ無線通信によりアクセスすると共に、その無線タグ回路素子Ｔｏから読み出された信号を処理する高周波回路５０６とを有している。
【０１４３】
サーバ３００については、前述の実施形態と同様の構成である。なお、ここではタイムレコーダ装置５００とサーバ３００とが別体である構成としたが、タイムレコーダ装置５００がタグＩＤ管理データベース３０３と入退場管理データベース３０４とを有する構成としてもよい。この場合、タイムレコーダ装置５００のみで入退場管理システムＩＳを構成することになる。
【０１４４】
上記制御回路５０３によって実行される制御手順は、前述の図８に示す内容と同様であるので説明を省略する。
【０１４５】
上記構成である本変形例においては、前述した実施形態と同様の効果を得ると共に、さらに、１つのタイムレコーダ装置５００が各手段を備えるオールインワンタイプとすることにより、複数の装置を組み合わせてシステムを構築する場合よりも構成を簡素化でき、また手軽に入退場管理システムを実現することができ、さらに必要時には全体の移動も容易に行うことができる。
【０１４６】
（６）その他
以上では、入退場管理を行う管理対象区画がオフィスである場合を一例として説明したが、これに限られず、例えば特定の建造物（ビル、病院等）、部屋（会議室、応接室等）、敷地、施設（遊園地、空港等）、又は特定エリア等、種々の管理対象区画に対して本発明は適用可能である。
【０１４７】
また以上では、オフィスにおける社員の入退場管理を行う場合を一例として説明したが、これに限られず、例えば来客の入退場管理に適用することも可能である。この場合には、各来客に無線タグ回路素子Ｔｏを備えた来客用カードを渡しておき、それを用いて入退場を行うようにすればよい。
【０１４８】
また以上では、オフィス内の残存者数のカウントを、ＰＣ端末２００の制御回路２０３が行うようにしたが、これに限られず、サーバ３００側（制御回路３０２）で行うようにしてもよい。
【０１４９】
なお、以上において、図３、図６、図７等の各図中に示す矢印は信号の流れの一例を示すものであり、信号の流れ方向を限定するものではない。また、図８、図９、図１０等に示すフローチャートは本発明を上記フローに示す手順に限定するものではなく、発明の趣旨及び技術的思想を逸脱しない範囲内で手順の追加・削除又は順番の変更等をしてもよい。
【０１５０】
また、以上既に述べた以外にも、上記実施形態や各変形例による手法を適宜組み合わせて利用しても良い。
その他、一々例示はしないが、本発明は、その趣旨を逸脱しない範囲内において、種々の変更が加えられて実施されるものである。
【図面の簡単な説明】
【０１５１】
【図１】本実施形態の入退場管理システムの全体構成を示すシステム構成図である。
【図２】ＰＣ端末の表示部に表示される入退場管理画面の入場時及び退場時の一例を表す図である。
【図３】入退場管理システムのシステム全体の機能構成を示す機能ブロック図である。
【図４】タグＩＤ管理データベースに記録される残存者リストの一例を表す図である。
【図５】入退場管理データベースに記録される勤怠管理リストの一例を表す図である。
【図６】リーダの高周波回路の詳細機能構成を示す機能ブロック図である。
【図７】社員証カードに備えられる無線タグ回路素子の機能的構成の一例を表す機能ブロック図である。
【図８】入退場管理を行う際に、ＰＣ端末の制御回路によって実行される制御手順を表すフローチャートである。
【図９】新規のタグＩＤを登録可能とする変形例における、ＰＣ端末の制御回路によって実行される制御手順を表すフローチャートである。
【図１０】人物識別情報に対応する表示を行う変形例における、ＰＣ端末の制御回路によって実行される制御手順を表すフローチャートである。
【図１１】人物識別情報に対応する表示を行う変形例における、ＰＣ端末の表示部に表示される入退場管理画面の入場時及び退場時の一例を表す図である。
【図１２】入退場管理画面のその他の例を表す図である。
【図１３】入退場管理画面のその他の例を表す図である。
【図１４】バーコードリーダで情報読み取りを行う変形例の入退場管理システムのシステム全体の機能構成を示す機能ブロック図である。
【図１５】社員がパスワード入力を行う変形例におけるＰＣ端末の制御回路によって実行される制御手順を表すフローチャートである。
【図１６】ＰＣ端末とリーダを一装置で構成する変形例のタイムレコーダ装置の外観を表す斜視図である。
【図１７】タイムレコーダ装置を含む入退場管理システムのシステム全体の機能構成を示す機能ブロック図である。
【符号の説明】
【０１５２】
１００          リーダ（非接触読み取り手段、無線読み取り手段）
２００          ＰＣ端末（管理端末）
２０１          表示部（表示手段）
２０２          操作部（操作手段）
３０３          タグＩＤ管理データベース
３０４          入退場管理データベース
４００          バーコードリーダ（非接触読み取り手段、光学読み取り手段）
５００          タイムレコーダ装置（入退場管理端末）
５０１          表示部（表示手段）
５０２          操作部（操作手段）
ＢＣ            バーコード記録部
ＩＳ            入退場管理システム
Ｔ              社員証カード（非接触読み取り媒体）
Ｔｏ            無線タグ回路素子（無線タグ）
【図１】
2010128753.tif 000003
【図２】
2010128753.tif 000004
【図３】
2010128753.tif 000005
【図４】
2010128753.tif 000006
【図５】
2010128753.tif 000007
【図６】
2010128753.tif 000008
【図７】
2010128753.tif 000009
【図８】
2010128753.tif 000010
【図９】
2010128753.tif 000011
【図１０】
2010128753.tif 000012
【図１１】
2010128753.tif 000013
【図１２】
2010128753.tif 000014
【図１３】
2010128753.tif 000015
【図１４】
2010128753.tif 000016
【図１５】
2010128753.tif 000017
【図１６】
2010128753.tif 000018
【図１７】
2010128753.tif 000019